(57)【要約】【課題】シンク内に収納可能な可動式蛇口を提供すること。【解決手段】流し台のシンクの内側面にて、温水配管、冷水配管又は温水及び冷水が混合された配管のいずれか一つ以上の配管端部と接続し、蛇口本体部材が、接続部で水平方向かつ配管端部と接続されるシンクの側面に対して概ね直交する方向を軸として回転可能に構成することを特徴とする蛇口。【選択図】  図１
2008280819.tif 000002
【特許請求の範囲】
【請求項１】
蛇口であって、
流し台のシンク内側面にて、温水配管、冷水配管又は温水及び冷水が混合された配管のいずれか一つ以上の配管端部と接続し、
蛇口本体部材が、前記接続部で水平方向かつ前記配管端部と接続されるシンク内側面に対して概ね直交する方向を軸として回転可能に構成すること、
を特徴とする蛇口。
【請求項２】
温水若しくは冷水の選択又はその放出量の調整をおこなうレバーが、前記配管端部との接続部又は前記回転可能に構成した蛇口本体部材の前面に配置すること、
を特徴とする請求項１に記載の蛇口。
【請求項３】
温水若しくは冷水の選択又はその放出量の調整をおこなうレバーが、蛇口以外のシンク内側面に配置すること、
を特徴とする請求項１に記載の蛇口。
【請求項４】
前記蛇口本体部材の先端に補助部材を取り付けること、
を特徴とする請求項１乃至３に記載の蛇口。
【請求項５】
前記補助部材を、前記蛇口本体部材の回転軸方向に平行に取り付け、前記回転軸方向を軸として回転可能に構成すること、
を特徴とする請求項４に記載の蛇口。
【請求項６】
前記補助部材が、前記蛇口本体部材の先端から取り外し自在に構成すること、
を特徴とする請求項４乃至５に記載の蛇口。
【請求項７】
前記補助部材が、可撓性の蛇腹状構造又は材質から構成すること、
を特徴とする請求項４乃至６に記載の蛇口。
【発明の詳細な説明】
【技術分野】
【０００１】
本発明は、流し台（キッチン）に取り付ける蛇口に関するものである。
【背景技術】
【０００２】
発明者６名は、先に「電磁誘導加熱調理器を備えた流し台」を発明した（平成１８年１１月８日出願、特願２００６−３０２９６４）。この流し台１は、図４に示すように、流し台１のシンク２に蓋４（４Ａ、４Ｂ、４Ｃ、４Ｄ）をヒンジにて開閉可能なように取り付け、閉じた状態では蓋４を調理台として使用できるようにするとともに、蓋４（４Ａ、４Ｂ）に電磁誘導加熱（ＩＨ）調理器ユニット５を組み込み、ＩＨ調理器として使用できることを目的として発明されたものである。これにより、流し台１の上面が蛇口６を除いてフラットとなり、スタイリッシュな構造となっている。
【０００３】
本発明に係る蛇口は、このような流し台１に好適なものであり、流し台１の上面を完全にフラットとするため、シンク２内に収納できる構造を有することを特徴とするものである。
【０００４】
なお、出願人が調査した限りにおいては、このような又はこれに類似した技術思想を有する蛇口に関しての文献公知発明に係る情報は、特許文献も含め、入手できなかった。
【発明の開示】
【発明が解決しようとする課題】
【０００５】
流し台に取り付ける蛇口としては、シンク内部に取り付けるタイプの物は見当たらず、流し台上面又はそれより上部に取り付けられるのが普通である。これは、シンク内に蛇口を取り付けると、シンク内での洗い物などの作業に支障を与えるためと考えられる。
【０００６】
このため、流し台の上面をフラットにするために蛇口をシンク内に取り付ける場合は、シンク内での洗い物などの作業が円滑にできるよう、作業スペースを確保できる形状・機能の蛇口とする必要がある。
【０００７】
更に、収納可能（可動式）とするからには、蛇口の倒立位置によらず、水の放出方向を鉛直下向きに変更できる構造にする必要がある。
【０００８】
本発明は、これらの課題を解決する手段、つまり、シンク内側面に設置し、不使用時にはシンク内に収納できつつも、シンク内での洗い物などの作業等の邪魔にならず、水の放出方向を自在に回転できる構造の蛇口を提供することである。
【課題を解決するための手段】
【０００９】
請求項１に記載の発明は、流し台のシンク内側面にて、温水配管、冷水配管又は温水及び冷水が混合された配管のいずれか一つ以上の配管端部と接続し、蛇口本体部材が、接続部で水平方向かつ配管端部と接続されるシンク内側面に対して概ね直交する方向を軸として回転可能に構成することを特徴とする蛇口である。
【００１０】
請求項２に記載の発明は、請求項１に記載の蛇口において、温水若しくは冷水の選択又はその放出量の調整をおこなうレバーが、配管端部との接続部又は回転可能に構成した蛇口本体部材の前面に配置することを特徴とするものである。
【００１１】
請求項３に記載の発明は、請求項１に記載の蛇口において、温水若しくは冷水の選択又はその放出量の調整をおこなうレバーが、蛇口以外のシンク内側面に配置することを特徴とするものである。
【００１２】
請求項４に記載の発明は、請求項１乃至３に記載の蛇口において、蛇口本体部材の先端に補助部材を取り付けることを特徴とするものである。
【００１３】
請求項５に記載の発明は、請求項４に記載の蛇口において、前記補助部材を、前記蛇口本体部材の回転軸方向に平行に取り付け、その回転軸方向を軸として回転可能に構成することを特徴とするものである。
【００１４】
請求項６に記載の発明は、請求項４乃至５に記載の蛇口において、補助部材が、蛇口本体部材の先端から取り外し自在に構成することを特徴とするものである。
【００１５】
請求項７に記載の発明は、請求項４乃至６に記載の蛇口において、補助部材が、可撓性の蛇腹状構造又は材質から構成することを特徴とするものである。
【発明の効果】
【００１６】
本発明によれば、シンク内側面に蛇口を設置し、不使用時にはシンク内に収納できつつも、シンク内での洗い物などの作業等の邪魔になりにくく、水の噴出方向を自在に回転できる構造の蛇口の提供が可能となる。また、補助部材の交換により、より柔軟に水を噴出させることができるようになる。
【発明を実施するための最良の形態】
【００１７】
図１は、本発明の実施の形態に係わる蛇口６の構成図であり、以下、個々の構成要素を説明する。
【００１８】
蛇口６は、蛇口本体部材７、接続部８およびレバー９を主な構成要素とする。
【００１９】
接続部８は蛇口本体部材７とつながれ、接続部８はシンクの内側面１０で温水配管、冷水配管又は温水及び冷水が混合された配管のいずれか一つ以上の配管端部（図には記載していない）と接続する。そして、この接続部８は、水平方向かつ配管端部と接続されるシンク内側面１０に対して概ね直交する方向１００を回転軸として（図１において方向２００と方向２０１に）回転可能となるように構成する。また、図には内部構造までは記載していないが、この蛇口本体部材７および接続部８は、水等を案内する中空構造を持つものである。
【００２０】
蛇口６には、温水若しくは冷水の選択又はその放出量の調整をおこなうレバー９を取り付ける必要がある。このレバー９は、接続部８に取り付けるのが形状的にはすっきりとしたものになり、製造コストも低減できる。しかし、蛇口６をシンク内側面１０に取り付けることから、シンク２内での皿洗い等の作業スペースを確保する観点からは、図２のように、蛇口本体部材７の（作業者に対して）前面上部の位置に取り付けた方が有利となり、さらに、レバー９を蛇口６から離し、シンク内側面６に設置してもよい（図２では、発明の説明のため、一つの蛇口にレバーが二つ付いているが、発明の実施においては、当然、一つの蛇口にレバーは一つだけ取り付ける）。
【００２１】
また、蛇口本体部材７は、前記回転軸方向でサイズ的に薄くなるように構成することも、作業スペースを確保する上で、有利となる。
【００２２】
更に、本発明に係る蛇口の使用態様は、蛇口本体部材７が直立した状態ばかりではなく、傾斜した状態も考えられる。このような使用態様でも水を鉛直下向きに放出できるよう、図３に示すように蛇口本体部材７の先端に補助部材１１（図には内部構造を記載しないが、これも、水等を案内する中空の構造を持つものである）を可動可能に取り付ける構成とすることもできる。つまり、補助部材１１を、蛇口本体部材７の回転軸方向１０１に平行に取り付け、この回転軸方向に沿って（方向２０２と方向２０３に）回転可能に構成することにより、水の放出方向を鉛直下向きに調整することができる。
【００２３】
また、補助部材１１が、蛇口本体部材７の先端から取り外し自在に構成することとし、種々の機能を持つ補助部材１１を、用途に応じて取り付ける形態もありうる。例えば、シャワー状の噴出口を持ち、洗い物の効率を上げることのできる補助部材１１や、可撓性の蛇腹状構造又は材質から構成され特定部分に噴出できる（ホースに類似の利用ができる）補助部材１１が考えられる。
【００２４】
以上のような構成要素の組み合わせにより、課題解決に資する蛇口が構成される。なお、本発明は、上述の図示例に限定されるものではなく、要旨を逸脱しない範囲内において種々変更を加えることができるのはもちろんである。
【図面の簡単な説明】
【００２５】
【図１】本発明の構成図（基本的な構成）。
【図２】本発明の構成図（レバーが蛇口と分離したもの）。
【図３】本発明の構成図（補助部材を取り付けたもの）。
【図４】既出願の流し台の全体図（蓋が開かれた状態）。
【符号の説明】
【００２６】
１・・・蓋付き流し台、２・・・シンク、３・・・シンクの開口部、４・・・蓋、５・・・ＩＨ調理器ユニット、
６・・・蛇口、７・・・蛇口本体部材、８・・・接続部、９・・・レバー、１０・・・シンク内側面、
１１・・・補助部材、１００、１０１・・・回転軸方向、２００、２０１、２０２、２０３・・・回転方向
【図１】
2008280819.tif 000003
【図２】
2008280819.tif 000004
【図３】
2008280819.tif 000005
【図４】
2008280819.tif 000006